(57)【要約】      （修正有）【課題】ローターケースの上部に直方体の多面鏡を装着してボンディングすることにより、製造工程が単純であり、製品の信頼性が高いスキャナーモーターを提供する。【解決手段】スキャナーモーターは、回転軸に固定されて回転するローターケース１１０と、前記ローターケース１１０の上部に装着される多面鏡１２０及び前記ローターケース１１０と前記多面鏡１２０の間に形成され、前記多面鏡１２０を前記ローターケース１１０に固定するボンディング部１３０を含む。【選択図】図１
2012037888.tif 000002
【特許請求の範囲】
【請求項１】
回転軸に固定されて回転するローターケース；
前記ローターケースの上部に装着される多面鏡；及び
前記ローターケースと前記多面鏡の間に形成され、前記多面鏡を前記ローターケースに固定するボンディング部を含むことを特徴とするスキャナーモーター。
【請求項２】
前記多面鏡は直方体であることを特徴とする請求項１に記載のスキャナーモーター。
【請求項３】
前記ローターケースは、外注部に前記多面鏡の外注部に対応される段差部が形成されたことを特徴とする請求項１に記載のスキャナーモーター。
【請求項４】
前記多面鏡は、角が前記ローターケースの前記段差部に接することを特徴とする請求項３に記載のスキャナーモーター。
【請求項５】
前記ボンディング部はボンディング剤または接着剤が塗布されたことを特徴とする請求項１に記載のスキャナーモーター。
【請求項６】
前記多面鏡はガラスまたはプラスチックであることを特徴とする請求項１に記載のスキャナーモーター。
【請求項７】
前記ローターケースは、前記多面鏡との接触面に前記多面鏡が固定されるように、前記ボンディング剤が充填される溝部が形成されたことを特徴とする請求項１に記載のスキャナーモーター。
【発明の詳細な説明】
【技術分野】
【０００１】
本発明はスキャナーモーターに関する。
【背景技術】
【０００２】
本発明はレーザービームプリンターやスキャナーのような光学技術を利用した出力装置に用いられ、多面鏡を回転させるスキャナーモーターに関する。光学技術を利用した出力装置市場がより小型化、高速化されるにつれて、多面鏡のような核心部品である光学反射装置を駆動するためのアクチュエーターに要求される性能はさらに高まっている。
現在、ポリゴンスキャナーモーターに適用される多面鏡はアルミニウム（ＡＬ）を機械加工方式で製作している。
【０００３】
また、現在市場では多面鏡の不足現象が持続されており、その解決策としてガラスを利用する製作方式が検討されているが、多面鏡と回転体を連結するための中心孔を生成することが困難であった。
即ち、従来技術による多面鏡は、内部中心に組立のための孔を生成し、その孔を基準に回転体と組み立てる。
【０００４】
このような構造は比較的簡単であり、精緻に多面鏡と回転体を組み立てることができるが、必ず多面鏡に中心孔を形成しなければならないため、製作コストが上昇し、製作方法に制約があるという問題点が発生する。
【発明の開示】
【発明が解決しようとする課題】
【０００５】
本発明は上述のような問題点を解決するために導き出されたものであり、本発明はローターケースの上部に直方体の多面鏡を装着してボンディングすることにより、製造工程が単純であり、製品の信頼性が高いスキャナーモーターを提供することを目的とする。
【課題を解決するための手段】
【０００６】
上述した本発明の目的を果たすために、本発明のスキャナーモーターは、回転軸に固定されて回転するローターケースと、前記ローターケースの上部に装着される多面鏡及び前記ローターケースと前記多面鏡の間に形成され、前記多面鏡を前記ローターケースに固定するボンディング部を含むことを特徴とする。
ここで、前記多面鏡は直方体であることを特徴とする。
また、前記ローターケースは、外注部に前記多面鏡の外注部に対応される段差部が形成されたことを特徴とする。
また、前記多面鏡は、角が前記ローターケースの前記段差部に接することを特徴とする。
また、前記ボンディング部はボンディング剤または接着剤が塗布されたことを特徴とする。
また、前記多面鏡はガラスまたはプラスチックであることを特徴とする。
また、前記ローターケースは、前記多面鏡との接触面に前記多面鏡が固定されるように、前記ボンディング剤が充填される溝部が形成されたことを特徴とする。
本発明の特徴及び利点は添付図面に基づいた以下の詳細な説明によってさらに明らかになるであろう。
【０００７】
本発明の詳細な説明に先立ち、本明細書及び請求範囲に用いられた用語や単語は通常的かつ辞書的な意味に解釈されてはならず、発明者が自らの発明を最善の方法で説明するために用語の概念を適切に定義することができるという原則に従って本発明の技術的思想にかなう意味と概念に解釈されるべきである。
【発明の効果】
【０００８】
本発明の好ましい実施例によるスキャナーモーターは、組立孔がない直方体の多面鏡を備え、ローターケースと多面鏡の間にボンディング部を含むことを特徴とするものであり、多面鏡の製作工程が単純になり、製作方法の自由度が高くなって、原価節減の効果が得られる。
従って、従来、多面鏡の内部に孔を形成する時に発生する不良を減少することができ、製造時間を顕著に減らすことができて、製品信頼度が向上する。
【図面の簡単な説明】
【０００９】
【図１】本発明の好ましい実施例によるスキャナーモーターの一部斜視図である。
【図２】本発明の好ましい実施例によるスキャナーモーターの一部断面図である。
【図３】本発明の好ましい実施例によるスキャナーモーターの一部拡大図である。
【発明を実施するための最良の形態】
【００１０】
本発明の目的、特定の長所及び新規の特徴は添付図面に係わる以下の詳細な説明および好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、本発明の説明において、係わる公知技術に対する具体的な説明が本発明の要旨を不必要にぼかす可能性があると判断される場合は、その詳細な説明を省略する。
以下、添付の図面を参照して本発明の好ましい実施例によるスキャナーモーターに対して詳細に説明する。
【００１１】
図１は本発明の好ましい実施例によるスキャナーモーターの一部斜視図を示したものであり、図２は本発明の好ましい実施例によるスキャナーモーターの一部断面図を示したものであり、図３は本発明の好ましい実施例によるスキャナーモーターの一部拡大図を示したものである。
【００１２】
まず、図１は本発明の好ましい実施例によるスキャナーモーターの一部斜視図を示したものであり、スキャナーモーターは、ローターケース１１０、多面鏡１２０、ボンディング部１３０を含む。
ローターケース１１０は、回転軸に固定されて回転する役割をし、上部に多面鏡１２０が装着されるように外注部に段差部が形成されることが好ましい。
また、ローターケース１１０はプレス方式によって製作されたカップ形状であることが好ましい。
【００１３】
ローターケース１１０は上部に多面鏡１２０を装着し、離脱を防止するためにボンディング部１３０で固定するために、多面鏡１２０が装着される接合面にボンディング剤が充填可能な溝部（未図示）が形成されることもできる。
多面鏡１２０は光源（未図示）から来る光ビームを偏向させて走査するためのものであり、ローターケース１１０の上部に装着される。
【００１４】
この際、多面鏡１２０は内径に組立孔がない直方体であり、多面鏡１２０の外注部及び角はローターケース１１０の外注面に形成された段差部に接するようになる。
多面鏡１２０の角の数に対する限定はないが、四角以上である場合は多面鏡１２０の大きさが大きくなるため、四角形状であることがもっとも好ましい。
【００１５】
このように本発明によるスキャナーモーターの多面鏡１２０は内径に組立孔がない直方体で備えられるため、従来、多面鏡１２０の内径に組立孔を形成する時に発生する不良及びコストを予め防止することができ、ローターケース１１０の上部に装着されることが容易である。
また、本発明によるスキャナーモーターの多面鏡１２０はガラスまたはプラスチックで備えられることができる。
ボンディング部１３０はローターケース１１０と多面鏡１２０の間をボンディング剤または接着剤で固定した部分である。
【００１６】
即ち、多面鏡１２０がローターケース１１０の上部に装着されて、ローターケース１１０の外注面に形成された段差部の内径と接触された多面鏡１２０との間がボンディング剤または接着剤で固定される。
【００１７】
ボンディング部１３０は、ローターケース１１０の内径に多面鏡１２０の角部が全て内接するように装着した後、多面鏡１２０の角部とローターケース１１０の間をボンディング剤で塗布する。ボンディング剤及び接着剤の種類に対する制限はなく、ＵＶボンディングを用いることもでき、接着剤を用いることもできる。
【００１８】
図２は本発明の好ましい実施例によるスキャナーモーターの一部断面図を示したものであり、ローターケース１１０の上部に直方体の多面鏡１２０が装着されたことを図示する。
【００１９】
ローターケース１１０と多面鏡１２０の間には多数のボンディング部１３０が形成されて、ボンディング部１３０は一般的に多面鏡１２０の角とローターケース１１０の内径の間に形成される。
【００２０】
ボンディング部１３０は、また他の実施例として、多面鏡１２０が接合されるローターケース１１０の接合面に溝部（未図示）が形成され、形成された溝部に接着剤またはボンディング剤が充填された後、上部に多面鏡１２０が装着されることもできる。
ボンディング部１３０は、多様な種類の接着剤またはＵＶボンディング剤で充填された後、硬化されて形成される。
【００２１】
図３は本発明の好ましい実施例によるスキャナーモーターの一部拡大図を示したものであり、ローターケース１１０の内径と多面鏡１２０の角が接触された後、ボンディングまたは接着されたボンディング部１３０が形成されたことを示す。
【００２２】
ボンディング部１３０はＵＶボンディング剤が塗布されたり、一般接着剤などの多様な接着物質で形成されることができる。また、ボンディング部１３０は形成位置及び個数に対する制限はないが、モーターが回転する時、ローターケース１１０と多面鏡１２０の離脱を防止するために、多面鏡１２０の角とローターケース１１０の接触面ごとに形成されることが好ましい。
【００２３】
上述のような構成を有する本発明によるスキャナーモーターは、組立孔がない直方体の多面鏡１２０を備え、ローターケース１１０と多面鏡の間にボンディング部１３０を含むことを特徴とするものであり、多面鏡１２０の製作工程が単純になり、製作方法の自由度が高くなって、原価節減の効果が得られる。
【００２４】
以上、本発明を具体的な実施例に基づいて詳細に説明したが、これは本発明を具体的に説明するためのものであり、本発明によるスキャナーモーターはこれに限定されず、本発明の技術的思想内で該当分野における通常の知識を有する者によってその変形や改良が可能であることは明白であろう。
本発明の単純な変形乃至変更はいずれも本発明の領域に属するものであり、本発明の具体的な保護範囲は添付の特許請求の範囲により明確になるであろう。
【符号の説明】
【００２５】
１００  スキャナーモーター
１１０  ローターケース
１２０  多面鏡
１３０  ボンディング部
【図１】
2012037888.tif 000003
【図２】
2012037888.tif 000004
【図３】
2012037888.tif 000005